(57)【要約】【課題】      殺虫剤を用いたくない場所において、ハエ取り紙を使用する場合、むき出しのままでは狭くて設置が不可能であったり、自らの手や犬などのペット、飼育している昆虫など意図しないものが付着してしまって不便であった。【解決手段】  適当な間隔を持つ網目状の硬質プラスチックなどからなる本体を、その周辺部から垂直方向に林立させた櫛状突起とこれを向かえ入れる孔によって垂直方向に複数連結し、内部に粘着シートを保持できるケースを形成する。単純な部品で安く大量に製造することが可能であり、必要に応じて大きさも形状も変えることができる。【選択図】    図１
2006230376.tif 000002
【特許請求の範囲】
【請求項１】
ハエが侵入可能な寸法を有する複数の侵入孔を備えたケースと、該ケースに内装された粘着性部材から構成されるユニットが、任意数連結可能であることを特徴とするハエ捕獲器。
【請求項２】
該粘着部材は、粘着シートであることを特徴とする請求項１に記載のハエ捕獲器。
【請求項３】
該ケースは、網目状の平板な本体の外周又はよりその中心部に近い部位から、任意の間隔で垂直方向に櫛状の部材を配し、平板である本体を垂直方向に連結した際に櫛状部材によって本体と垂直方向に対しても網目が形成されることを特徴とした請求項１、及び２に記載のハエ捕獲器。
【請求項４】
該ケースは、本体から垂直方向に配される櫛状部材を受け入れる凹部を、櫛状部材基部の反対側に配することにより垂直方向に連続的に連結することが可能であり、また本体の外周端部に凹凸部を配することにより、水平方向にも連続的に連結することが可能であると共に、連結が着脱自在であるがゆえに該ケースに内装される粘着性部材が取り替え可能であることを特徴とする請求項１ないし３に記載のハエ捕獲器。
【請求項５】
該ケースは、本体周辺部に閂を通す穴を複数備えており、垂直または水平方向に連結して閂を通すことにより強固に連結され、閂を抜くことによって分解されることを特徴とした請求項１ないし４に記載のハエ捕獲器。
【請求項６】
該ケースは、本体に配される櫛状部材と同等の寸法を同等の間隔で有する壁面に対して差し込むことにより、単体でも同様の効果を発揮できることを特徴とした請求項１ないし４に記載のハエ捕獲器。
【発明の詳細な説明】
【技術分野】
【０００１】  本発明は、ハエ捕獲器に関するものである。【０００２】  ハエを捕獲するにためのハエ取り紙を網目状ケースの中に保持することにより、見栄えをよくすると同時に意図しないもの、例えば自らの手、飼育している動物や昆虫などがくっついてしまう不便を軽減するもので、これをユニット単位で連結することにより自在な設置場所、サイズに対応できるようにし、また内装する粘着紙も着脱、交換が容易になる。また、適切な孔を穿った壁面に対して差し込んで使用すれば単体でも同様の効果を発揮できる。
【背景技術】
【０００３】  ハエを捕獲するにはスプレー式の殺虫剤を用いることが一般的であるが、殺虫剤を構成する薬品の成分ゆえ、無闇にこれを使用したくない場合も多い。例を挙げるなら、食器棚、赤ちゃんのいる部屋、昆虫や小動物を飼育している容器内などである。そして殺虫剤などを用いずにハエを捕獲するには、従来いわゆるハエ取り紙というものが用いられていた。通常、ハエ取り紙は両面テープを天井から吊るし、飛来するハエを両面テープの粘着力で捕獲するようになっている。
【発明の開示】
【発明が解決しようとする課題】
【０００４】  従来のハエ取り紙は、その粘着部が露出しており、これを部屋あるいは飼育している昆虫等の飼育容器内で用いれば、自らの手や子供、犬・猫等のペットや昆虫等が誤って粘着部に付着してしまうという不具合があった。また狭い隙間に用いると壁面に付着してしまい、甚だ不便である。更に、捕獲したハエが露出した両面テープに付着したままでは見栄えが悪く、衛生上も好ましくない。【０００５】  ハエ取り紙がむき出しにならないようにするためには、ハエは容易に侵入して捕獲されるが、自らの手や子供、犬・猫等のペットや飼育している昆虫等が意図せず付着、捕獲されてしまうことを防ぐハエ取り紙を保持する容器が必要となる。
【課題を解決するための手段】
【０００６】  かかる課題を達成するために本発明が採用した技術手段は、ハエが進入可能な寸法を有する複数の進入孔を備えたケースと、該ケースに内装された粘着性部材とから構成されるユニットを任意数連結できることを特徴とするものである。【０００７】  これを図面によって説明すれば、該本体１はプラスチック、木材、金属などから構成される複数の進入孔を備えた保護ケースで、この中に粘着性部材２を粘着部材固定用突起５にセットし、本体周辺部から垂直方向に配された櫛状部材３とこれを迎え入れる孔４で複数連結することによって、粘着性部材２が保護され、人やペットあるいは物が誤って粘着性部材２に付着することが防止される。【０００８】  該本体１は、垂直方向に互いに連結分解することによって内装する粘着性部材２を簡単に交換することが可能で、また多段重ねることによりハエを捕獲する粘着性部材２を限られた空間に有効に多数配することが可能になる。【０００９】  該本体１は、連結用突起６及び７で水平方向に連結することによっても、任意の形状と広さを持つ空間に有効に多数の粘着性部材２を配することを可能にする。【００１０】  該本体１は、その周辺部に閂９を通す複数の穴１０を設け、これに閂９を抜き差しすることによっても同様の効果を発揮することが可能となる。【００１１】  該本体１は、その周辺部に本体と垂直方向に配された櫛状部材３と同等の間隔の孔を持つ壁面８に差込むことによって単体でも、同様の効果を発揮することが可能となる。
【発明の効果】
【００１２】  本発明は、ハエが進入可能な寸法を有する複数の進入孔を備えたケースと、該ケースに内装された粘着性部材とから構成されるユニットを複数連結することによって、好ましくない薬剤を用いずに、狭い空間であっても良好にハエを捕獲することができるものでありながら、粘着性部材がケースによって保護されているので、本来粘着性部材に付着するべきでないものが誤って付着してしまうようなことがない。【００１３】    更に、分解連結が可能であることから内装される粘着性部材を交換するのも容易であり、また同型のものが連続的に連結可能な構造であるために、垂直または水平に任意数連結して必要に応じたサイズ、形状にして利用することにより粘着性部材による捕獲面積を有効に取ることが可能になる上、量産に際して有利でありコストを安く抑えられるメリットもある。こうして本発明に係るハエ捕獲器は、好適にペットや子供のいる部屋、食卓、食器戸棚などの隙間、小動物や昆虫などを飼育している容器内などに設置される。
【発明を実施するための最良の形態】
【００１４】  本発明の好適な実施の形態として例示するハエ捕獲器について、図１ないし５に基づいて説明する。本ハエ捕獲器は、硬質プラスチックなどでできた網目状の構造を持っており、ハエの進入を容易にするためにこの網目の間隔はできる限り大きい方が良い。しかし、本ハエ捕獲器には、余分なものが中の粘着性部材に意図せず付着してしまう不便を軽減する性能が求められ、その余分なものが入りこまないような間隔以下の網目のものにする必要がある。【００１５】  この間隔は、例えば指や赤ちゃんの手、ペットの犬などがつかないようにするには１ｃｍないし数ｃｍ程度の間隔で良いし、クワガタ虫などの昆虫類を飼育している飼育容器内で用いるのであればクワガタ虫などが侵入できない程度の数ｍｍから１ｃｍ程度であることが望ましい。【００１６】  本発明に係るハエ捕獲器は、こうして定めた適切な間隔を持ったプラスチック製の網目状の部材１の中央部に、粘着性部材としての粘着シート２をセットするための突起５を有し、保護紙を剥いで粘着部を露出した粘着シート２をここにセットする。【００１７】  粘着シート２をセットした本体１の周辺には、その面とは垂直の方向に櫛状の突起３が林立しており、その裏側にはこの突起を受け入れる孔４が設けられているので、本体同士は垂直方向に連結することが可能である。最低２つの本体を連結することにより、粘着シート２を囲い込むケースが完成し、当初の目的を果たすことが可能となる。粘着シート２は両面とも粘着性のものを用いるが、本体を２つだけ連結する場合は、本体の網目に接触する側の保護シートは剥がさずに使用し、ケース内部に向かう粘着面のみを利用する。【００１８】  本体を３つ以上連結すれば、中央に位置する粘着シート２は両面とも保護シートを剥がして利用しても外部からこれに接触することがなくなり、ハエ捕獲を更に効率的に行うことができる。また、例えば昆虫を飼育する飼育容器の壁面８に、本体の櫛状突起と同様の間隔と太さの孔が設けてあれば、これに本体を差し込んで粘着シートのケースを形成することも可能であり、この場合は本体１つでも同様の効果が期待できる。【００１９】  大型の昆虫の幼虫などの飼育では、大型の衣装ケースのような容器が用いられる場合もあり、このような容器内や狭い隙間などで使用するには垂直方向だけでなく、更にこのユニットを水平方向にも連結することにより、大きな面積を持った薄型のハエ捕獲器を形成することも可能になる。
【図面の簡単な説明】
【００２０】
【図１】本ハエ捕獲器を粘着シートを含めて連結する際の、斜め上方向から見た俯瞰図である。
【図２】本ハエ捕獲器を連結する際の櫛状突起とこれを迎え入れる孔を示すために、本体を裏返して見た図、及びその部分の拡大図である。
【図３】本ハエ捕獲器を前後左右に接続するための外周部の雄雌の突起を示すために、本体４つを上方から見た図である。
【図４】本ハエ捕獲器を壁面に挿して利用した場合の図である。
【図５】本ハエ捕獲器を外周の孔と閂を使って連結する際の図である。
【符号の説明】
【００２１】  １  本体
２  粘着シート
３  櫛状突起
４  櫛状突起を差し込む孔
５  粘着シートの固定突起
６  水平方向の連結突起（雄）
７  水平方向の連結突起（雌）
８  適切な孔を穿った壁面
９  閂
１０  閂を通す穴
【図１】
2006230376.tif 000003
【図２】
2006230376.tif 000004
【図３】
2006230376.tif 000005
【図４】
2006230376.tif 000006
【図５】
2006230376.tif 000007